(57)【要約】フルカラー高輝度反射型ディスプレイ（２００，２５０，３００，３５０）は、別個である複数面を有する角錐状反射体（４００，４５０，５００，６００，７２５，８００）から形成される。反射体の各面（４１０，４２０，４６０，４７０，５１０，５２０，６１０，６２０，７３０，７４０，８１０，８２０）は、入射光（４６１，４８１，５８１，６６１，７８１，８６１）の３つの原色のうち２つを正反射的に反射し、他の原色を散在的又は正反射的に反射するかあるいは吸収するよう、制御され得、したがって反射光（４６２，４８２，５８２，６６２，７８２，８６２）の色を制御する。液晶層（４１５，４２５，４６５，４７５）は、反射体に対する入口における偏光フィルを有する、あるいは、該層と組み合わされる、各面において使用され得る。エレクトロウェッティングセル（５１４，５２４）又は電気泳動層（６１５，６２５）はまた、使用され得る。可逆的な金属蒸着によって形成される蒸着層は、使用され得る。可動の、ダイナミックフォイル機構（８５０）はまた、使用され得る。該ディスプレイは、反復パターンにおいて配置される複数の反射体（２１０，２２０，２６０，２７０，３１０，３２０，３６０，３７０）を有して作られ得る。
2008520001.tif 000002
【特許請求の範囲】
【請求項１】
少なくとも第１及び第２の原色を有する入射光を反射する反射体であって：
角錐形に共に接合される少なくとも第１、第２、及び第３の平面を有し；
前記第１の面は、前記第１の原色を反射又は吸収するよう制御可能である一方で、少なくとも前記第２の原色を正反射的に反射し、
前記第２の面は、前記第２の原色を反射又は吸収するよう制御可能である一方で、少なくとも前記第１の原色を正反射的に反射する、
反射体。
【請求項２】
前記第３の面は、前記第１及び第２の原色を正反射的に反射する、
請求項１記載の反射体。
【請求項３】
前記第１及び第２の面によって使用される前記正反射性反射は、金属反射、複数層反射、又は全反射を有する、
請求項１記載の反射体。
【請求項４】
前記第１の面は、前記第１の原色を正反射的又は散在的に反射するよう、あるいは、前記第１の原色を吸収するよう、制御可能であり；
前記第２の面は、前記第２の原色を正反射的又は散在的に反射するよう、あるいは、前記第２の原色を吸収するよう、制御可能である、
請求項１記載の反射体。
【請求項５】
前記入射光はまた、第３の原色を有し；
前記第１の面は、前記第２及び第３の原色を正反射的に反射し；
前記第２の面は、前記第１及び第３の原色を正反射的に反射し；並びに、
前記第３の面は、前記第３の原色を反射又は吸収するよう制御可能である一方で、前記第１及び第２の原色を正反射的に反射する、
請求項１記載の反射体。
【請求項６】
前記第１、第２、及び第３の原色は夫々、赤色、緑色、及び青色である、
請求項５記載の反射体。
【請求項７】
少なくとも前記第１の面は、液晶層と偏光層とを有する積層を有し；また、
前記液晶層は、前記第１の原色を反射又は吸収するよう、切り替え可能である、
請求項１記載の反射体。
【請求項８】
前記積層は更に、前記液晶層の前に反射型カラーフィルタを有し；また、
前記液晶層は常に、前記第２の原色を正反射的に反射する、
請求項７記載の反射体。
【請求項９】
前記偏光層は、前記液晶層と組み合わされる、
請求項７記載の反射体。
【請求項１０】
前記反射体に対する入口において位置決めされる偏光フィルタを更に有し、
少なくとも前記第１の面は、液晶層を有し；また、
前記液晶層は、前記第１の原色を反射又は吸収するよう、切り替え可能である、
請求項１記載の反射体。
【請求項１１】
少なくとも前記第１の面は、エレクトロウェッティングセルを有し；
前記エレクトロウェッティングセルは、前記第１の原色を吸収する色を有するオイルを有し；また、
前記エレクトロウェッティングセルは、前記第１の原色を反射又は吸収するよう、制御可能である、
請求項１記載の反射体。
【請求項１２】
少なくとも前記第１の面は、エレクトロウェッティングセルと反射型カラーフィルタとを有し；
前記エレクトロウェッティングセルは、前記第１の原色を吸収する黒色オイルを有し；また、
前記エレクトロウェッティングセルは、前記第１の原色を反射又は吸収するよう、制御可能である、
請求項１記載の反射体。
【請求項１３】
少なくとも前記第１の面は、蒸着層と反射型カラーフィルタとを有し；また、
前記蒸着層は、可逆的な金属蒸着によって形成され、前記第１の原色を反射又は吸収するよう、制御可能である、
請求項１記載の反射体。
【請求項１４】
少なくとも前記第１の面に前記第１の原色を反射又は吸収させるよう、第１の位置と第２の位置との間における少なくとも前記第１の面に対して可動であるダイナミックフォイル機構、を更に有する、
請求項１記載の反射体。
【請求項１５】
少なくとも前記第１の面は、反射型カラーフィルタを有し、前記ダイナミックフォイル機構は、吸収フォイルを有する、
請求項１４記載の反射体。
【請求項１６】
請求項得１記載の反射体を複数有するディスプレイ（２００）であって：
前記複数の反射体は、前記反射体のうち隣接するものの近接する面が異なる原色を選択的に吸収することができる反復パターンにおいて配置される、
ディスプレイ。
【請求項１７】
請求項１記載の反射体を複数有するディスプレイ（２５０）であって：
前記複数の反射体は、前記反射体のうち隣接するものの近接する面が異なる原色を選択的に吸収することができる反復パターンにおいて配置される、
ディスプレイ。
【請求項１８】
請求項１記載の反射体を複数有するディスプレイであって：
前記複数の反射体は、同一の原色を選択的に吸収することができる前記反射体の面が同一の方向において向きを定められる反復パターンにおいて配置される、
ディスプレイ。
【請求項１９】
少なくとも前記第１の面は、反射型カラーフィルタと、前記反射型カラーフィルタの後方における電気泳動層とを有し；また、
前記電気泳動層は、散乱及び吸収粒子を有する、
請求項１記載の反射体。
【請求項２０】
少なくとも前記第１の面は、電気泳動層と、前記電気泳動層の後方における反射型カラーフィルタとを有し；また、
前記電気泳動層は、吸収粒子を有する、
請求項１記載の反射体。
【請求項２１】
少なくとも前記第１の面は、前記第１の原色の反射と吸収との間を切り替えるよう横方向に動く有色粒子を有する電気泳動層を有する、
請求項１記載の反射体。
【請求項２２】
電気泳動ディスプレイに対する反射体であって：
反射光として入射光を反射すするよう２つの面を有するリッジ形構造を有し；
前記面のうち少なくとも一方は、反射型偏光層と、前記反射型偏光層の後方における液晶層と、前記液晶層の後方における反射層と、を有する、
反射体。
【請求項２３】
前記液晶層は、前記反射光の色を制御するよう制御可能である、
請求項２２記載の反射体。
【発明の詳細な説明】
【技術分野】
【０００１】
本発明は、一般的に、反射型ディスプレイに係り、より特には、逆反射体の光学特性に基づく反射型ディスプレイに係る。
【背景技術】
【０００２】
屋外の用途に対して、放射型ディスプレイから十分な輝度及びコントラストを得ることが困難であるため、反射型ディスプレイは、通常は最善である。最も周知である反射型ディスプレイは、液晶ディスプレイ（ＬＣＤ）である。しかしながら、かかるディスプレイを有する不利点は、偏光器が使用されることであり、光の５０％を浪費する。カラー反射型ディスプレイを作るよう、カラーフィルタは、サブピクセルの各々に対して追加される。これは、例えば赤色及び青色が緑色のサブピクセルにおいて吸収される（３つの原色のうち２つ）ため、たとえ全てのサブピクセルが「オン」状態にある場合でも、光の更なる６６％は浪費され、総計８５−９０％の損失に上る、ことを意味する。より高輝度の反射型ディスプレイ（ｂｒｉｇｈｔ  ｒｅｆｌｅｃｔｉｖｅ  ｄｉｓｐｌａｙ）は、主に電子書籍ソリューションに対して研究されているＥインク（Ｅ−ｉｎｋ）（マサチューセッツ州ケンブリッジ在、Ｅ−Ｉｎｋ  Ｃｏｒｐ．社より市販）である。しかしながら、カラーフィルタがＥインクに対して加えられる場合、輝度はまた大変低減され、光のおおよそ３０％のみが残される。更には、Ｅインクは、比較的遅く（約４００ｍｓの切り替え時間を有する）、十分な数のグレースケールを達成することは困難である。この状況を改善するための代替案は、色を減じるよう有色オイルの２つの層を使用する、カラーフィルタを共に有する、エレクトロウェッティングディスプレイである。これは、状況を改善するが、カラーフィルタにより依然として１００％の輝度に達することはできない。他のアプローチは、異なる色の入射光を使用するが、これは複雑性を強める。
【発明の開示】
【発明が解決しようとする課題】
【０００３】
本発明は、上述及び他の問題を解決する、ことを目的とする。
【課題を解決するための手段】
【０００４】
光が全反射（ＴＩＲ）によって反射する及び／又は吸収される、複数の先行技術とは対称的に、本発明の複数の実施例は、光が吸収されない白色状態（ｗｈｉｔｅ  ｓｔａｔｅ）においてさえもＴＩＲには全く依存しない。ＴＩＲを使用する代わりに、本発明は、金属反射、複数層からの反射、又は拡散反射等である異なる種類の反射を使用し得る。本発明の多種の実施例は、特定の色の反射のみを与え得る。
【０００５】
本発明の一態様において、少なくとも第１及び第２の原色を有する入射光を反射する反射体は、角錐形に共に接合される少なくとも第１、第２、及び第３の平面を有する。第１の面は、第１の原色を反射又は吸収するよう制御可能である一方で、少なくとも第２の原色を正反射的に反射する。第２の面は、第２の原色を反射又は吸収するよう制御可能である一方、少なくとも第１の原色を正反射的に反射する。例えば、３つの原色を有するスペクトルは、２つの色へと分裂され得る。
【０００６】
あるいは、反射体は、第１、第２及び第３の原色を有する入射光を反射し得る。第１の面は、第１の原色を反射又は吸収するよう制御可能である一方で、第２及び第３の原色を正反射的に反射する。第２の面は、第２の原色を反射又は吸収する一方で、第１及び第３の原色を正反射的に反射する。第３の面は、第３の原色を反射又は吸収するよう制御可能である一方で、第１及び第２の原色を正反射的に反射する。
【０００７】
原色は、赤色、緑色、及び／又は青色を有し得るが、これらに制限されることはない。
【０００８】
更には、面のうち少なくとも１つは、電気泳動層を使用し得る。例えば、１つのアプローチにおいては、少なくとも第１の面は、反射型カラーフィルタと、反射型カラーフィルタの後方における電気泳動層とを有する。他のアプローチでは、少なくとも第１の面は、電気泳動層を有し、電気泳動層は、第１の原色の反射と吸収との間を切り替えるよう横方向に動く吸収性有色粒子を有する。
【０００９】
本発明の他の態様においては、反射体は、反射光として入射光を反射するよう２つの面を有するリッジ形構造を有する。面の少なくとも１つは、反射型偏光層と、反射型偏光層の後方における液晶層と、液晶層の後方における反射体層とを有する。
【発明を実施するための最良の形態】
【００１０】
全ての図中、対応する部分は、同一の参照符号によって示される。
【００１１】
本発明は、逆反射体の光学的特性及びそれらから派生する構造に基づく反射型ディスプレイの新しい種類を提案する。逆反射体は、例えば、３つの面が互いに対して垂直である３つ側部を有する角錐として、形成され得る。構造から反射される光は、角錐の全ての３つの面に衝突する。角錐の３つの面のうち１つにおいて原色の各々が選択的に吸収され得る。これは、高輝度フルカラーディスプレイを作ることを可能にする。例えば、白色状態においては１００％白色になり得、黒色状態（ｂｌａｃｋ  ｓｔａｔｅ）においては完全に黒色になり得る。本発明は、３つの原色を吸収及び反射する異なる方途を与える。
【００１２】
逆反射体を使用する反射型ディスプレイの製造
逆反射体は、入来光を源におおよそ反射し戻す。逆反射体は、例えば角錐の少なくとも一部を形成するよう、角錐形に共に接合される少なくとも３つの平らな側部を有し得る。各側部は、光を反射するよう夫々の面を有する。例えば、逆反射体は、三角錐（ａ  ｔｈｒｅｅ  ｔｒｉａｎｇｕｌａｒ  ｐｙｒａｍｉｄ）、即ち図１Ａ及び図１Ｂ中に示される通り、立方体の角部を有して作られ得る。角錐の３つの面は、互いに対して垂直である。図１Ａは、逆反射体１００と、反射光１０７である通り反射体１００によって反射される一例である入射光ビーム１０６のパスとの３Ｄ図である。３つの側部のうち２つの側部１１０，１２０が示される。側部は、互いに対して接合され、共通の頂点１０５において交わる。逆反射体は正確に角錐である必要はないが、角錐の一部によって形成され得る、ことが留意される。例えば、構造１００は、上方部分を切断することによって修正され得る。図１Ｂは、全ての３つの側部１１０，１２０及び１３０を有する逆反射体１００の下面図である。光ビーム１０６が出る（ｅｘｉｔｉｎｇ）前に角錐の全ての３つの面に衝突する、ことは理解され得る。この特性により、赤色、緑色及び青色等である３つの原色のうち１つを選択的に吸収するよう３つの側部１１０，１２０及び１３０の各々を使用することが可能となる。つまり、選択的に、全ての光を吸収すること、あるいは全ての光を反射すること、あるいは特定の色の光（例えば３つの原色の異なる部分を吸収することによって３つの原色のみに制限されず、混合色もまた作られ得る）を反射することは、可能である。
【００１３】
図２Ａ及び図２Ｂは、三角形の反射体に対する２つの可能な配置を示す。以下に、他の可能性が示される。図２Ａは、２つの隣接する側部が同一の色を有する場合を示す。これは、製造上の理由で有利であり得、例えば同一の情報をいずれの側部上にも置くことができる。特には、ディスプレイ２００は、例えば反射体２１０及び２２０である、互いに対して近接する行と列（ｒｏｗｓ  ａｎｄ  ｃｏｌｕｍｎｓ）において配置される複数の個別の反射体を有する。反射体は、３つの面を有する。１つの可能なアプローチにおいては、１つの面は常にマゼンタ（Ｍ）を反射し、１つは常に黄色（Ｙ）を反射し、また１つは常にシアン（Ｃ）を反射する。理解され得る通り、反射体２１０及び２２０の黄色（Ｙ）の面は、互いに対して近接する。一般的には、１つの面は、原色のうち１つを吸収、正反射的に反射、あるいは拡散的に反射する。他の２つの色は、例えば反射型カラーフィルタを使用することによって、正反射的に反射されるべきである。したがってこの反射は、全反射によって発生する必要はない。
【００１４】
この配置を使用することによって、色が吸収されない際、完全な白色が残る。各側部がその原色を吸収する際は、光は反射されない。適切な制御機構は、ディスプレイ２００又は２５０上に所望のパターンを作るよう、各反射体を個別に制御するよう用いられ得る。
【００１５】
図２Ｂは、強化された解像度を与える、色が更に離れている配置を示す。つまり、１つの反射体において所定の色を有する面は、近接する反射体において同一の色を有する面に対して近接しない。特にディスプレイ２５０は、例えば反射体２６０及び２７０である、互いに対して近接する行及び列において配置される複数の個別の反射体を有する。図２Ａ中のディスプレイ２００と同様に、反射体は各々３つの面を有する。１つの面は常にマゼンタ（Ｍ）又は白色を反射し、１つは常に黄色（Ｙ）又は白色を反射し、また１つは常にシアン（Ｃ）又は白色を反射する。理解され得る通り、反射体２６０のマゼンタ（Ｍ）の面は、反射体２７０の黄色（Ｙ）の面と近接する。図３Ａ及び図３Ｂは、反射体を作る２つの更なる可能性を示す。図３Ａは、本発明に従った、同一の色の面を有する側部が同一の方向に向く、複数の個別の角錐形の反射体の配置から作られる第１のディスプレイ３００の概略的上面図である。特には、ディスプレイ３００は、例えば反射体３１０及び３２０である、互いに対して近接して配置される複数の個別の反射体を有する。図３Ｂは、本発明に従った、同一の色を有する側部が同一の方向に向く、複数の個別の角錐形の反射体の配置から作られる第２のディスプレイ３５０の概略的上面図である。特には、ディスプレイ３５０は、例えば反射体３６０及び３７０である、互いに対して近接して配置される複数の個別の反射体を有する。
【００１６】
かかる反射体は、１つの色を有する全ての面が他の色を有する全ての他の面に対して垂直である、という利点を有する。言い換えれば、同一の色を反射又は吸収する面は、同一の方向に向く。このことによって、入来フラックス（ｉｎｃｏｍｉｎｇ  ｆｌｕｘ）が１つの特定の方向を有する蒸発を使用することによって３つの面のうちの１つを選択的に覆うこが可能になる。これはまた、２つの表面に対して同時に行われ得る。
【００１７】
ディスプレイにおける各ピクセルは、複数の個別の反射体素子、即ち１つ又はそれより多い素子を有して作られ得る。故に、ピクセル寸法より小さい反射体が作られ得る。更には、反射体を部分的にカバーすることによってグレースケールが作られ得、全ての光が吸収されるのではなく、一部分のみが吸収される。これは、一種のロールブランドを有して、例えば下部又は上部のいずれかから反射体を部分的にカバーすることによって、行われ得るか、あるいは、表面をより任意にカバーすることによって与えられ得る。
【００１８】
可能性のある変形は、互いに対して垂直ではなく垂直から僅かに外れた反射体の３つの面を有する、ことである。これによって、異なる角度からの光の収集がより容易となり得る。
【００１９】
以下において、反射体の側部を吸収と反射との間で切り替えさせる異なる方途が示される。複数のアプローチは全反射を活用し、他のアプローチは（金属層又は複数層からの）直接反射を活用する。最終的には、拡散反射を活用するものもある。使用される材料の屈折数が低すぎる場合、前者（ｔｈｅ  ｆｏｒｍｅｒ）は、視角依存の問題に直面し得る。
【００２０】
駆動電子機器（ｄｒｉｖｅ  ｅｌｅｃｔｒｏｎｉｃｓ）を有する適切な制御機構がディスプレイ２００及び２５０を制御するよう使用され得る、ことは留意される。例えば、行及び列の線は、反射状態と吸収状態との間における個別の反射体の面の切り替えを制御する電極に対して接続され得る。
【００２１】
ＬＣＤ
図４Ａは、本発明に従った、ＬＣＤセル及びＬＣＤセルにおける偏光フィルタを有する単一の反射体の概略的断面図である。３つの側部のうち２つの側部４１０，４２０が示される。入射光４６１は、反射光４６２として反射される。図４Ｂは、本発明に従った、別個のＬＣＤセル及び偏光フィルタを有する単一の反射体の概略的断面図である。３つの側部のうち２つの側部４６０，４７０が示される。ここでは、入射光４８１は、反射光４８２として反射される。反射体４００及び４５０は、２つの側部における反射のみを示すが、実際には、これは全ての３つの側部において起きる。反射体４００は、夫々のカラーフィルタ４１６及び４２６並びに偏光フィルタと組み合わされる層４１５及び４２５又はＬＣＤセルを有する、側部４１０及び４２０を有する。反射体４５０は、例えば積層及び反射体４５０に対する入口において与えられる偏光フィルタ４８０において、夫々のカラーフィルタ４６６及び４７６並びにＬＣＤセル又は層４６５及び４７５を有する、側部４６０及び４７０を有する。
【００２２】
ＬＣＤを用いる最も直接的な方途は、反射体の各面において液晶（ＬＣ）層使用することである。ＬＣ層並びに偏光層及び反射体は、入射光を吸収又は反射する。反射は、例えば、全反射を用い得るか、金属反射体又は複数層反射体を追加することによる。角錐の３つの側部は、３つの原色のうち１つのみを通すよう、反射型カラーフィルタを有して覆われるべきである。図４Ｂの実施例の不利点は、光の５０％を浪費する偏光フィルタ４８０を追加しなければならないことである。これは、逆反射体（図４Ｂ）の入口オイル邸加えられ得るか、あるいは、ＬＣ層４１５及び４２５（図４Ａ）と組み合わされ得る。しかしながら、反射型カラーディスプレイを作るためにこのアプローチを使用することは、更に明るく且つ更に早く切り替えられ得るため、依然として、Ｅインクディスプレイに対してカラーフィルタを追加することより更に優れている。
【００２３】
例えば面内切り替え（ＩＰＳ）、垂直配列（ｖｅｒｔｉｃａｌ  ａｌｉｇｎｍｅｎｔ）（ＶＡ）、捻転ネマチック（ｔｗｉｓｔｅｄ  ｎｅｍａｔｉｃ）（ＴＮ）、及び同等のものである技術は、適切な「最新技術の」電極構造を追加することによって使用され得る。
【００２４】
エレクトロウェッティング
図５は、本発明に従った、エレクトロウェッティング液体を有する単一の反射体の概略的断面図である。３つの側部のうち２つの側部５１０，５２０が示される。このアプローチにおいて、エレクトロウェッティングセルは、反射体の各側部に対して追加される。続いて、反射体によって戻される、通常の透明な水と共に黄色、シアン、及びマゼンタインクが使用され得る。このようにして、光は、有色のインクを通る（ｇｏ  ｔｈｒｏｕｇｈ）か、あるいはただ反射される。この選択肢は、全反射に依存しない。実際には、選択肢は２つある。一方の選択肢は、有色のインクを使用する。他方の選択肢は、黒色インクを使用する。後者は、追加されるべき反射型カラーフィルタを求めるが、前者は求めない。例えば、反射体５００に対して、１つの面５１０は、反射体５１２、エレクトロウェッティング液体５１４、及び反射型カラーフィルタ５１６を有し得る。他の面５２０は、反射体５２２、エレクトロウェッティング液体５２４、及び反射形カラーフィルタ５２６を有し得る。入射光５８１は、反射光５８２として反射される。
【００２５】
他の方途は、硝酸銀からの銀等である溶液からの可逆的な金属蒸着である、エレクトロウェッティングに類似する（Ｋ．Ｓｈｉｎｏｚａｋｉ著、「Ｅｌｅｃｔｒｏｄｅｐｏｓｉｔｏｎ  Ｄｅｖｉｃｅ  ｆｏｒ  Ｐａｐｅｒ−Ｌｉｋｅ  Ｄｉｓｐｌａｙｓ」、ＳＩＤ０２ダイジェスト誌５．５Ｌ、２００２年、を参照）。この工程は、自動車用のバッテリにおいて起きるものと類似する。この金属蒸着が使用される場合、反射型カラーフィルタは、逆反射体の３つの面上に存在するべきである。
【００２６】
電気泳動層
図６は、電気泳動層を有する単一の反射体の概略的断面図である。３つの側部のうち２つの側部６１０，６２０が示される。更なるアプローチは、黒色吸収粒子及び白色拡散粒子を有する電気泳動層（Ｅインク等）を使用する。一般的に、電気泳動層が切り替わり得るには、横方向又は垂直方向のいずれかである２つの方途がある。後者は、２つの種類の粒子、即ち拡散粒子及び吸収粒子を求め、より優れた外観を与える傾向がある。前者は、１つの種類の粒子、即ち吸収粒子のみを求めるが、それは、該粒子が側部に対して動く際に反射体を露出させ得るため、である。
【００２７】
例である反射体６００は、反射光６６２を与えるよう入射光６６１を反射する面６１０及び６２０を有する。垂直方向の切り替えを有して、例えば、反射体の各面上での反射型カラーフィルタ６１６，６２６、並びに、入射光の異なる原色の拡散的反射と吸収との間で切り替える反射型カラーフィルタの下方における電気泳動層６１５，６２５は、使用され得る。例えば、赤色側部及び青色側部に衝突する緑色光は、正反射的に反射されるべきであり且つ緑色側部に到達するが、緑色光自体は、緑色側部において拡散的に散乱され得る。青色光及び赤色光は、緑色側部等において正反射的に反射されるべきである。この種類の反射体は、光が正確なサブピクセル又は反射体に到達し次第、拡散的に散乱するため、真の逆反射体ではない。
【００２８】
平面において、横方向切替え電気泳動層は、吸収と（反射体又はＴＩＲを用いる）反射との間の切替えを実行するよう層を介して横方向に動く、吸収粒子のみを使用する。この場合、鏡は、光を反射するよう電気泳動層の後方に置かれ得る。選択肢は２つ存在する。有色粒子が使用され得、その場合は反射型カラーフィルタは必要とされない。あるいは、黒色粒子が使用され得、その場合は反射型カラーフィルタは、各側部において原色のうち１つのみを吸収するよう必要とされる。このアプローチは、上述されたエレクトロウェッティング実施例に類似する。
【００２９】
他の黒色及び白色反射型ディスプレイ
図７Ａ及び図７Ｂ中に示される通り、標準的なＥインクディスプレイに対する代替を作るよう、何らかの関連付けられる構造を使用し得る該ディスプレイは、黒色及び白色であり、逆反射体ではなくリッジ形構造を使用することによって高い反射性がある。図７Ａは、一例であるリッジ７１０及び７２０を有する構造を示す。リッジ７１０は、面７１２及び７１４を有する。図７Ｂは、例のリッジのうち一方から作られる反射体７２５を示す。入射光７８１は、反射光７８２として反射される。面７３０は、反射体７３２、ＬＣＤセル７３４、及び９０度回転された反射型偏光フィルタ７３６を有する。面７４０は、反射体７４２、ＬＣＤセル７４４、及び９０度回転された反射型偏光フィルタ７４６を有する。特には、面７３０及び７４０は、反射型偏光フィルタを有して覆われ得、該フィルタの下方において、２つの偏光方向のうち一方を切り替えるようＬＣＤが使用され得る。故に、リッジの各側部又は面上において、反射型偏光フィルタを有するＬＣＤが置かれ得る。このようにして、偏光フィルタにおいて光の５０％が損失されず、したがって高輝度反射型ＬＣＤディスプレイは、達成され得る。
【００３０】
しかしながら、他の先行技術（エレクトロウェッティング、電着、ＤＦＤ）もまた、高輝度ディスプレイを黒色及び白色ディスプレイとして作るよう、使用され得る。
【００３１】
ダイナミックフォイルディスプレイ
図８は、ダイナミックフォイルディスプレイを示す。３つの側部のうち２つの側部８１０，８２０が示される。更なるアプローチは、ダイナミックフォイルディスプレイ反射体８００を使用することであり、反射体８００の後方における可動機構８５０は、反射体８００を全反射から吸収状態に切り替える。入射光８６１は、反射体８００と接触し、反射光８６２として反射される。有色フォイル８１５，８２５が使用され得るか、あるいは、黒色フォイル等である吸収フォイル８５１，８５２と組み合わせて反射体８００の各側部８１０，８２０上で反射型カラーフィルタが使用され得る。機構８５０におけるフォイル８５１，８５２が反射体８００又は反射体の選択された面と接触する場合、入射光８６１の全反射は断絶し、３つの原色のうち１つが吸収される。機構８５０におけるフォイルが反射体８００から離れている場合、反射体は、通常の逆反射体として働く。適切な制御スキームは、フォイルを有する機構８５０を反射体８００に対して、あるいはその逆で動かすよう使用され得る。特には、カラーフィルタを反射体８００の側部８１０，８２０に対して追加することによって、他の色（フィルタの色以外の色）は、正反射的に反射される。通る（ｃｏｍｅ  ｔｈｒｏｕｇｈ）光は、全反射によって反射するか、あるいは黒色フォイル等を有して吸収される。他の選択肢は、カラーフォイルを使用することであり、反射体の状態に依存して、全ての光が全反射されるか、あるいは構成要素の１つが吸収される。
【００３２】
制御機構
本願中に開示される実施例において、当業者は、駆動電子機器を有する適切な制御機構がディスプレイにおける反射体素子を制御するよう使用され得る、ことを理解する。反射体の面上の層は、グレーレベルが必要とされない場合、所望の吸収又は伝達を与えるようオン及びオフを切り替えられ得る。グレーレベルが必要とされる場合は、駆動電子機器が適宜に適用されなければならない。適切な駆動は、電気泳動の実施例に対しても与えられなければならない。最新技術の駆動スキームは、使用され得る。例えば、アクティブマトリクスは、ピクセルを制御するよう追加され得るか、あるいは、ピクセルが受動的にアドレスされ得る。本願中に開示される異なる反射体の実施例を切り替えるよう必要とされる異なる電極構成は、当業者にとっては明らかであるべきである。
【００３３】
異なる応用分野に対する大変魅力的な選択肢であり得るフルカラー高輝度反射型ディスプレイを作る方途が、示されてきた。光の吸収及び反射は、３つの側部を有する反射体の２つ又はそれより多い面において制御され得る。２つの面のみが制御可能である際、３つの原色を有するスペクトルは、２色へと分割され得る。３つの側部のうち１つにおいて、第１の色は反射され、第２の色は反射又は吸収される。他の側部においては、第２の色は反射され、第１の色は反射又は吸収される。第３の側部は、第１及び第２の色のいずれも反射する。
【００３４】
本発明の望ましい実施例と考えられるものが示され且つ説明されてきたが、当然のことながら、形式上又は詳細において多種の修正及び偏光が本発明の趣旨を逸脱することなく容易になされ得る、ことは理解される。したがって、本発明は、説明及び図示される厳密な形式に制限されることはなく、添付の請求項の範囲内にあり得る全ての修正を対象とするよう解釈されるべきである、ことが意図される。
【図面の簡単な説明】
【００３５】
【図１Ａ】角錐形反射体の概略的斜視図である。
【図１Ｂ】図１Ａ中の角錐形反射体の下面図である。
【図２Ａ】本発明の一実施例に従った、２つの近接する反射体側部が同一の色である複数の個別の角錐形反射体の配置から作られるディスプレイの概略的上面図である。
【図２Ｂ】本発明の一実施例に従った、２つの近接する反射体側部が同一の色ではない複数の個別の角錐形反射体の配置から作られるディスプレイの概略的上面図である。
【図３Ａ】本発明の一実施例に従った、同一の色を有する側部が同一の方向に向く複数の個別の角錐形反射体の配置から作られる第１のディスプレイの概略的上面図である。
【図３Ｂ】本発明の一実施例に従った、同一の色を有する側部が同一の方向に向く複数の個別の角錐形反射体の配置から作られる第２のディスプレイの概略的上面図である。
【図４Ａ】本発明の一実施例に従った、ＬＣＤセル及びＬＣＤセルにおける偏光フィルタを有する単一の反射体の概略的断面図である。
【図４Ｂ】本発明の一実施例に従った、別個のＬＣＤセル及び偏光フィルタを有する単一の反射体の概略的断面図である。
【図５】本発明の一実施例に従った、エレクトロウェッティング液体を有する単一の反射体の概略的断面図である。
【図６】本発明の一実施例に従った、電気泳動層を有する単一の反射体の概略的断面図である。
【図７Ａ】本発明の一実施例に従った、リッジ形反射体の概略的斜視図である。
【図７Ｂ】本発明の一実施例に従った、反射型偏光フィルタを有するリッジ形反射体の概略図である。
【図８】本発明の一実施例に従った、ダイナミックフォイルディスプレイの概略的断面図である。
【図１Ａ】
2008520001.tif 000003
【図１Ｂ】
2008520001.tif 000004
【図２Ａ】
2008520001.tif 000005
【図２Ｂ】
2008520001.tif 000006
【図３Ａ】
2008520001.tif 000007
【図３Ｂ】
2008520001.tif 000008
【図４Ａ】
2008520001.tif 000009
【図４Ｂ】
2008520001.tif 000010
【図５】
2008520001.tif 000011
【図６】
2008520001.tif 000012
【図７Ａ】
2008520001.tif 000013
【図７Ｂ】
2008520001.tif 000014
【図８】
2008520001.tif 000015
【国際調査報告】
2008520001.tif 000016
2008520001.tif 000017
2008520001.tif 000018
2008520001.tif 000019
2008520001.tif 000020
2008520001.tif 000021